(57)【要約】【課題】乾燥室内面に付着した被乾燥物を隈なく掻き取ると共に被乾燥物の粉砕を促進して乾燥効率が向上した乾燥装置を提供する。【解決手段】縦型円筒状又は円錐台形状をなし、被乾燥物の投入口１４及び排出口１６を有する乾燥室１８と、乾燥室１８内を加熱する加熱手段２０と、乾燥室１８の中心に立設された回転軸２２と、回転軸２２を回転駆動する回転駆動機構２４と、回転軸２２に、間隔を置いて上下多段に設けられた複数の腕２６と、これらの腕２６に取り付けられ、回転方向に下向きに傾斜する上面２８及び回転軸２２の回転により乾燥室１８の内周面に付着した被乾燥物を掻き落す掻き落し縁部３０を有する複数の撹拌羽根３２とを備えている。そして全ての撹拌羽根３２の各掻き落し縁部３０により乾燥室１８の内周面に付着した被乾燥物を掻き落す上下方向の各範囲が、乾燥室１８の内周面の上下方向に亘って連続している。【選択図】図１
2005337631.tif 000002
【特許請求の範囲】
【請求項１】
縦型円筒状又は円錐台形状をなし、被乾燥物の投入口及び排出口を有する乾燥室と、
前記乾燥室内を加熱する加熱手段と、
前記乾燥室の中心に立設された回転軸と、
前記回転軸を回転駆動する回転駆動機構と、
前記回転軸に、間隔を置いて上下多段に設けられた複数の腕と、
前記腕に取り付けられ、回転方向に下向きに傾斜する上面及び前記回転軸の回転により前記乾燥室の内周面に付着した被乾燥物を掻き落す掻き落し縁部を有する複数の撹拌羽根とを備え、
前記複数の撹拌羽根の各掻き落し縁部により前記乾燥室の内周面に付着した被乾燥物を掻き落す上下方向の各範囲が、前記乾燥室の内周面の上下方向に亘って連続していることを特徴とする乾燥装置。
【請求項２】
請求項１記載の乾燥装置において、
前記撹拌羽根の上面に、複数の突起を設けたことを特徴とする乾燥装置。
【請求項３】
請求項１又は２記載の乾燥装置において、
前記回転軸に設けられた腕が複数分岐され、各分岐端に前記撹拌羽根を連結したことを特徴とする乾燥装置。
【請求項４】
請求項１ないし３のいずれかに記載の乾燥装置において、
前記複数の腕は、上面が上方に向って角ばった形状をなすものであることを特徴とする乾燥装置。
【請求項５】
請求項１ないし４のいずれかに記載の乾燥装置において、
前記回転軸の上部に、前記乾燥室内の空気を下向きに送り込む送風羽根を設けたことを特徴とする乾燥装置。
【請求項６】
請求項１ないし５のいずれかに記載の乾燥装置において、
前記回転軸の下部に、前記乾燥室の底面に沿う掻き板羽根を設けると共に、前記掻き板羽根の上面に突起を設けたことを特徴とする乾燥装置。
【請求項７】
縦型円筒状又は円錐台形状をなし、被乾燥物の投入口及び排出口を有する乾燥室と、
前記乾燥室内を加熱する加熱手段と、
前記乾燥室の中心に立設された回転軸と、
前記回転軸を回転駆動する回転駆動機構と、
前記回転軸に、間隔を置いて上下複数段に設けられた複数の腕と、
前記腕に取り付けられ、前記回転軸の回転により前記乾燥室の内周面に付着した被乾燥物を掻き落す掻き落し縁部を有し、前記回転をするときに先端側になる部分を尖らせた、複数の撹拌羽根とを備え、
前記加熱手段は、少なくとも前記乾燥室の、底面及び内周面を熱面とし、
前記複数の撹拌羽根の各掻き落し縁部は、前記底面から上方に向って立ち上がる所定高さの熱面を、前記回転軸に垂直な面で分割した所定の範囲ずつ分担して、当該熱面に付着した全ての被乾燥物を掻き落とすように、相互に隣接する撹拌羽根の前記掻き落し縁部の長さと位置が選定されていることを特徴とする乾燥装置。
【請求項８】
請求項７に記載の乾燥装置において、
前記回転軸に設けられた腕に取り付けられ、前記底面に付着した被乾燥物を掻き取るための掻き取り縁部を備えた、掻き板羽根が設けられていることを特徴とする乾燥装置。
【請求項９】
請求項７又は８に記載の乾燥装置において、
前記腕およびまたは前記撹拌羽根に、被乾燥物粉砕用の刃部が設けられていることを特徴とする乾燥装置。
【請求項１０】
縦型円筒状又は円錐台形状をなし、被乾燥物の投入口及び排出口を有する乾燥室と、前記乾燥室の壁面を加熱する加熱手段と、前記乾燥室の中心に立設された回転軸と、前記回転軸を回転駆動する回転駆動機構と、前記乾燥室の底面から上方に向かう風を起こす翼と、被乾燥物を破砕する突起と、前記回転軸から前記乾燥室の壁面方向に伸びた複数の腕と、前記腕に取り付けられ、前記回転軸の回転により前記乾燥室の内周面に付着した被乾燥物を掻き落す掻き落し縁部を有する複数の撹拌羽根と設けて、
被乾燥物が乾燥前記回転軸を回転させて、前記複数の撹拌羽根の各掻き落し縁部により前記乾燥室の底面とこの底面上方の所定の高さまでの壁面全面に付着した全ての被乾燥物を掻き落し、前記突起で被乾燥物を破砕し攪拌して、前記翼で破砕した被乾燥物を上方に巻き上げて、被乾燥物を粉末化することを特徴とする被乾燥物の乾燥方法。
【請求項１１】
請求項１０に記載の被乾燥物の乾燥方法において、
前記回転軸の回転を開始した後、前記被乾燥物の投入口から前記被乾燥物を許容量まで投入し、乾燥処理を実行して、被乾燥物が乾燥して粉末化した後、前記被乾燥物の壁面に設けた排出口を開放して、前記被乾燥物が前記排出孔から排出されるまで、前記回転軸を継続して回転させることを特徴とする被乾燥物の乾燥方法。
【発明の詳細な説明】
【技術分野】
【０００１】
本発明は、伝熱面を有する乾燥室内で、泥砂状、クリーム状、塊状、粒状、粉末状等の水分と固形分からなる被乾燥物の水分を減少あるいは乾燥させる乾燥装置と被乾燥物の乾燥方法に関する。
【背景技術】
【０００２】
従来の乾燥装置には、円筒状又は円錐台形状の乾燥室内で熱風と被乾燥物を接触させる直接加熱タイプや、乾燥室側壁を覆うジャケット内に水蒸気等の加熱媒体を通して、壁面から被乾燥物に熱を供給して乾燥する間接加熱タイプなどがある。
このような乾燥装置は、円筒状又は円錐台形状の乾燥室に被乾燥物を撹拌し旋回させるために撹拌羽根を設けたもので、撹拌羽根によって被乾燥物に遠心力を与え、巻き上げて乾燥室の内壁面に衝突させ、熱交換によって乾燥室内壁から熱を与えることによって水分蒸発させている（特許文献１、特許文献２参照）。
【特許文献１】特開２００１−１２４４７３号公報
【特許文献２】特開２００４−８５１６０号公報
【発明の開示】
【発明が解決しようとする課題】
【０００３】
ここで、従来の乾燥装置には、次のような解決すべき課題があった。
従来の乾燥装置は、乾燥する際に、撹拌羽根により被乾燥物が旋回され遠心力が与えられて乾燥室内壁や撹拌羽根等に衝突し、ある程度は粉砕されるが、粉々になるまでには粉砕されない場合がある。例えば塊状となったものは、むしろ増径してしまい乾燥効率を著しく悪化させてしまうという問題があった。
また、被乾燥物を乾燥室内面に接触させて乾燥させる。しかし、被乾燥物が層状に張り付いて厚みが増すと、乾燥効率に悪影響を及ぼす場合もある。
本発明は、以上の課題を解決するためになされたもので、乾燥室内面に付着した被乾燥物を隈なく掻き取ると共に被乾燥物の粉砕を促進して乾燥効率が向上した乾燥装置と被乾燥物の乾燥方法を提供することを目的とする。
【課題を解決するための手段】
【０００４】
本発明の各実施例においては、それぞれ次のような構成により上記の課題を解決する。
〈構成１〉
縦型円筒状又は円錐台形状をなし、被乾燥物の投入口及び排出口を有する乾燥室と、上記乾燥室内を加熱する加熱手段と、上記乾燥室の中心に立設された回転軸と、上記回転軸を回転駆動する回転駆動機構と、上記回転軸に、間隔を置いて上下多段に設けられた複数の腕と、上記腕に取り付けられ、回転方向に下向きに傾斜する上面及び上記回転軸の回転により上記乾燥室の内周面に付着した被乾燥物を掻き落す掻き落し縁部を有する複数の撹拌羽根とを備え、上記複数の撹拌羽根の各掻き落し縁部により上記乾燥室の内周面に付着した被乾燥物を掻き落す上下方向の各範囲が、上記乾燥室の内周面の上下方向に亘って連続していることを特徴とする乾燥装置。
【０００５】
乾燥中に、乾燥室の内周面に被乾燥物が厚く付着すると、断熱層が形成される。これにより乾燥効率が著しく低下する。構成１はこれを解決する。すなわち、被乾燥物が撹拌羽根の回転により乾燥室の内周面に衝突して付着しても、その直後に撹拌羽根の掻き落し縁部により掻き落される。しかも、被乾燥物を掻き落す上下方向の各範囲が乾燥室の内周面の上下方向に亘って連続している。ゆえに、乾燥室内周面に付着した被乾燥物を広範囲に亘って掻き落すことができるので、常時効率よく乾燥が行われる。ここで回転方向とは、回転軸を所定方向に回転したとき、この回転軸に取り付けられている腕及び撹拌羽根が回転移動する接線方向のことである。
【０００６】
〈構成２〉
構成１記載の乾燥装置において、上記撹拌羽根の上面に、複数の突起を設けたことを特徴とする乾燥装置。
【０００７】
乾燥の過程で塊状となった被乾燥物が複数の突起によって粉砕される。これらの突起は、板体を回転方向に直交して起立した小突起であり、撹拌羽根の回転力により板体の端縁部が被乾燥物に食い込んで粉砕する。被乾燥物が粉砕されることによって伝熱がよくなり乾燥効率が向上する。
【０００８】
〈構成３〉
構成１又は２記載の乾燥装置において、上記回転軸に設けられた腕が複数分岐され、各分岐端に上記撹拌羽根を連結したことを特徴とする乾燥装置。
【０００９】
腕の機械的強度が向上し撹拌羽根を強固に保持しうる。
【００１０】
〈構成４〉
構成１ないし３のいずれかに記載の乾燥装置において、上記複数の腕は、上面が上方に向って角ばった形状をなすものであることを特徴とする乾燥装置。
【００１１】
撹拌羽根の回転により舞い上がった被乾燥物が落下して腕に衝突したときに、腕の角ばった上面で粉砕され、乾燥効率を向上させる。
【００１２】
〈構成５〉
構成１ないし４のいずれかに記載の乾燥装置において、上記回転軸の上部に、上記乾燥室内の空気を下向きに送り込む送風羽根を設けたことを特徴とする乾燥装置。
【００１３】
送風羽根は、最上位の撹拌羽根よりも上方に位置し、回転軸の回転に伴なって乾燥室内の空気を下方に送り込む。乾燥室内で、熱風が撹拌羽根により乾燥室側壁に沿って上昇した後、乾燥室中心部で下降し、また撹拌羽根により上昇するという流れを繰り返す対流運動を、送風羽根によって促進し撹拌乾燥効率を高める。
【００１４】
〈構成６〉
構成１ないし５のいずれかに記載の乾燥装置において、上記回転軸の下部に、上記乾燥室の底面に沿う掻き板羽根を設けると共に、上記掻き板羽根の上面に突起を設けたことを特徴とする乾燥装置。
【００１５】
掻き板羽根は、最下位の撹拌羽根よりも下方に位置するように設けられ、乾燥室の底面にある被乾燥物を突起で粉砕しながら掻き揚げる。これらの突起は、板体を回転方向に直交して起立したもので、板体の端縁部が被乾燥物に食い込んで粉砕する。
【００１６】
〈構成７〉
縦型円筒状又は円錐台形状をなし、被乾燥物の投入口及び排出口を有する乾燥室と、上記乾燥室内を加熱する加熱手段と、上記乾燥室の中心に立設された回転軸と、上記回転軸を回転駆動する回転駆動機構と、上記回転軸に、間隔を置いて上下複数段に設けられた複数の腕と、上記腕に取り付けられ、上記回転軸の回転により上記乾燥室の内周面に付着した被乾燥物を掻き落す掻き落し縁部を有し、上記回転をするときに先端側になる部分を尖らせた、複数の撹拌羽根とを備え、上記加熱手段は、少なくとも上記乾燥室の、底面及び内周面を熱面とし、上記複数の撹拌羽根の各掻き落し縁部は、上記底面から上方に向って立ち上がる所定高さの熱面を、上記回転軸に垂直な面で分割した所定の範囲ずつ分担して、当該熱面に付着した全ての被乾燥物を掻き落とすように、相互に隣接する撹拌羽根の上記掻き落し縁部の長さと位置が選定されていることを特徴とする乾燥装置。
【００１７】
回転軸の周囲を公転する複数の撹拌羽根は、協働して、熱面に付着した全ての被乾燥物を掻き落とすので、熱面上に被乾燥物の層を形成させない。底面から上方に向って立ち上がる所定高さの熱面には、被乾燥物が付着し易い。１個の撹拌羽根は、回転軸に垂直な面で分割した所定の範囲の被乾燥物を掻き落とす。乾燥室のさらに上方へ飛び上がる被乾燥物は既に乾燥しているから、掻き落としは所定の高さまででよい。また、回転をするときに先端側になる部分を尖らせたので、被処理物の材質にかかわらず被処理物を破砕する能力が高い。
【００１８】
〈構成８〉
構成７に記載の乾燥装置において、上記回転軸に設けられた腕に取り付けられ、上記底面に付着した被乾燥物を掻き取るための掻き取り縁部を備えた、掻き板羽根が設けられていることを特徴とする乾燥装置。
【００１９】
底面を熱面とするから、底面に付着した被乾燥物を掻き取る掻き板羽根を設けるとさらによい。
【００２０】
〈構成９〉
構成７又は８に記載の乾燥装置において、上記腕およびまたは上記撹拌羽根に、被乾燥物粉砕用の刃部が設けられていることを特徴とする乾燥装置。
【００２１】
被乾燥物粉砕用の刃部は、被対象物を切り刻むような角を持つものであればよい。また、刃物状のものであってもよい。
【００２２】
〈構成１０〉
縦型円筒状又は円錐台形状をなし、被乾燥物の投入口及び排出口を有する乾燥室と、上記乾燥室の壁面を加熱する加熱手段と、上記乾燥室の中心に立設された回転軸と、上記回転軸を回転駆動する回転駆動機構と、上記乾燥室の底面から上方に向かう風を起こす翼と、被乾燥物を破砕する突起と、上記回転軸から上記乾燥室の壁面方向に伸びた複数の腕と、上記腕に取り付けられ、上記回転軸の回転により上記乾燥室の内周面に付着した被乾燥物を掻き落す掻き落し縁部を有する複数の撹拌羽根と設けて、被乾燥物が乾燥上記回転軸を回転させて、上記複数の撹拌羽根の各掻き落し縁部により上記乾燥室の底面とこの底面上方の所定の高さまでの壁面全面に付着した全ての被乾燥物を掻き落し、上記突起で被乾燥物を破砕し攪拌して、上記翼で破砕した被乾燥物を上方に巻き上げて、被乾燥物を粉末化することを特徴とする被乾燥物の乾燥方法。
【００２３】
乾燥室の底面から上方に向かう風を起こす翼は、よく知られたファンの羽根状のものであればよい。翼は上記腕のどこに取り付けられてもよい。ファンと突起と掻き落し縁部は、それぞれ別体に設けても、一体に設けてもよい。突起は、ファンや掻き落し縁部の先端に設けてもよいし、腕に別途設けてもよい。乾燥室の底面とこの底面上方の所定の高さまでの壁面全面に付着した全ての被乾燥物を掻き落すので、乾燥室の主要部の加熱手段に被乾燥物が衝突したとき、直接効率よく加熱されて、すばやく被乾燥物を乾いた粉末にすることができる。粘性が高くて乾燥室の壁面に付着した被乾燥物は壁面を覆うので、その後壁面に衝突した被乾燥物に熱が伝わりにくくなる。粘性の高い被乾燥物は重いので、底面上方の所定の高さ以上には巻き上げられない。従って、壁面全面に付着した全ての被乾燥物を掻き落するのは、所定の高さまでとし、負荷を軽減した。
【００２４】
〈構成１１〉
構成１０に記載の被乾燥物の乾燥方法において、上記回転軸の回転を開始した後、上記被乾燥物の投入口から上記被乾燥物を許容量まで投入し、乾燥処理を実行して、被乾燥物が乾燥して粉末化した後、上記被乾燥物の壁面に設けた排出口を開放して、上記被乾燥物が上記排出孔から排出されるまで、上記回転軸を継続して回転させることを特徴とする被乾燥物の乾燥方法。
【００２５】
この方法を採用することにより、被乾燥物を投入してから排出するまで、装置を連続的に自動運転することが可能になる。さらに、被乾燥物を排出した後は、新たな被乾燥物の投入を開始することができるという効果がある。なお、回転軸を回転させて、上記の構成の攪拌羽根を回転させると、粉末化された被乾燥物は乾燥室の壁面への衝突を繰り返しながら、乾燥室の内部で攪拌される。従って、乾燥室の壁面のどの位置へ排出口を設けても、特別の排出機構無しに、大部分の被乾燥物が排出される。このため、簡素化された構造の乾燥装置により、被乾燥物の乾燥処理と排出処理が可能になるという効果がある。
【発明を実施するための最良の形態】
【００２６】
以下、本発明の実施の形態を実施例に基いて詳細に説明する。
【実施例１】
【００２７】
図１は、実施例１の乾燥装置の構成要素である回転羽根等の組立品の詳細を示す斜視図、図２は同乾燥装置の全体構造を示す概略図、図３は、図１の、組立品の一部を省略した平面図である。
乾燥装置は、図２に示すように縦型円筒状又は円錐台形状をなし、被乾燥物の投入口１４及び排出口１６を有する乾燥室１８と、乾燥室１８内を加熱する加熱手段２０と、乾燥室１８の中心に立設された回転軸２２と、回転軸２２を回転駆動するモータ等の回転駆動機構２４と、回転軸２２に、間隔を置いて上下多段に設けられた複数の腕２６と、各腕２６の端部に取り付けられた撹拌羽根３２とを備えている。
【００２８】
回転軸２２の上部に、乾燥室１８内の空気を下向きに送り込む送風羽根４０が設けられている。回転軸２２の下部に、乾燥室１８の底面に沿う掻き板羽根４２が設けられている。送風羽根４０及び掻き板羽根４２については後述する。
【００２９】
加熱手段２０は、乾燥室１８の内周面及び底面を二重構造とし、この二重構造内の空間に１００℃以上の高温水蒸気等の熱媒体を導入できるようにすることにより構成されている。乾燥室１８の内周面に、熱媒体入口２１ａとドレン出口２１ｂが設けられている。また乾燥室１８の上面に、水蒸気を抜く口５１が設けられている。なお、加熱手段２０は、高温水蒸気に限られず、電熱による熱媒体でもよく、乾燥室１８の内周面と底面を熱面とするものであればよい。乾燥室１８は、底部に設けられた複数の脚部５０によって床面等に支承される。
【００３０】
次に、上記乾燥装置の構成要素である各組立品の詳細を説明する。
図１に示すように、回転軸２２の周囲に８本の腕２６が段階的に取り付けられている。これらの腕２６は、それぞれ中間部位から二股に分岐され、各分岐端３８に撹拌羽根３２が連結されている。このように各腕２６を二股に分岐して撹拌羽根３２を連結した構造とすることによって、腕２６の機械的強度が向上し撹拌羽根３２を強固に保持しうるものとされている。なお、撹拌羽根３２を連結した腕２６は、８本に限られず、乾燥室１８の大きさ等に応じて適数本が設けられる。
【００３１】
各腕２６の上面は上方に向って角ばった形状をなしている。例えば、横断面正方形の角棒を一角部を上に向けて回転軸２２に固定することによって得られる。各腕２６の分岐部についても同様に上面が上方に向って角ばった形状をしており、舞い上がって落下した被乾燥物を角ばった上面で粉砕する機能を持っている。
【００３２】
撹拌羽根３２は、回転方向に下向きに傾斜する上面２８と掻き落し縁部３０とを有している。ここで回転方向とは、回転軸２２の所定方向の回転により腕２６及び撹拌羽根３２が回転移動する方向である。撹拌羽根３２の上面２８には、３個の突起３６がそれぞれ設けられている。これらの突起３６は、撹拌羽根３２の側方からみて上方に頂角を有する三角形をなす板体であり、それぞれが回転方向にほぼ直交する状態で配置されている。
【００３３】
掻き落し縁部３０は、撹拌羽根３２の回転により乾燥室１８の内周面に付着した被乾燥物を、上下方向に一定の範囲で掻き落す機能を有するもので、乾燥室1８の内周面に沿いかつ接近している。また、図５に示すように、上下多段に設けられた複数の撹拌羽根３２の各掻き落し縁部３０により乾燥室１８の内周面に付着した被乾燥物を掻き落す上下方向の各範囲Ｈ1〜Ｈ４は、乾燥室１８の内周面の上下方向に亘って連続している。従って、上下方向に多段に設けられた各掻き落し縁部３０は、乾燥室１８内周面に付着した被乾燥物を広範囲に亘って隈なく掻き落すことができる。
【００３４】
回転軸２２の上部に設けられた送風羽根４０は、最上位の撹拌羽根３２よりも上方に位置し、回転軸２２の周囲３箇所に一定間隔を置いて設けられている。これらの送風羽根４０は、回転方向に対して上向きに傾斜しており、回転軸２２の回転に伴なって乾燥室１８内の空気を下方に送り込み、撹拌乾燥効率を高めるものである。
【００３５】
図４は、回転軸の下部に設けられた掻き板羽根を示す図である。
図２及び図４に示すように、掻き板羽根４２は、最下位の撹拌羽根３２よりも下方に位置し、乾燥室１８の底面に沿って径方向に延びている。掻き板羽根４２は、乾燥室１８の底面に対して傾斜すると共に一端縁が乾燥室１８の底面に対して接近している。掻き板羽根４２の上面に、３個の突起４４が設けられている。これらの突起４４は、四辺形の板体で、回転方向にほぼ直交する状態で配置されている。これらの突起４４は、掻き板羽根４２が回転軸２２の回転により乾燥室１８の底面にある被乾燥物を掻き揚げたときに、それらを粉砕する機能を持っている。
【００３６】
上部から落下した被乾燥物は、乾燥室の底面に落下して乾燥される。掻き板羽根４２は、被乾燥物がこの底面に層状に付着するのを防止する。掻き板羽根４２の先端に、乾燥室１８の内周面に沿う撹拌羽根４５が連結されている。この撹拌羽根４５は上記の撹拌羽根３２の長さより長く、回転軸２２に固設された２本の支持棒５５、５６により支持されている。またこの撹拌羽根４５の上面に、上記の突起３６とほぼ同形状の突起４６が設けられている。
【００３７】
次に、実施例１の乾燥装置の動作について説明する。
先ず、この装置の乾燥室１８の二重構造内の空間に１００℃以上の高温水蒸気等の気体を導入し、投入口１４から乾燥室１８内に汚泥等の液状の被乾燥物を投入して回転駆動機構２４により回転軸２２を駆動する。このとき、液状の被乾燥物は、乾燥室１８内には、乾燥室１８の容量の半分以下の容量が収容される。
【００３８】
初期段階では、撹拌羽根３２で被乾燥物を撹拌し、主に乾燥室１８底部の熱面にて水分を蒸発させる。すなわち、最初、被乾燥物は含水量が多く、泥のような状態なので撹拌をしながら乾燥させる。被乾燥物はこの段階では上方へは移動しない。
【００３９】
次に、塊状になった被乾燥物を、撹拌羽根３２及びその上面の突起３６で微粉砕し水分の蒸発を促すと共に、被乾燥物全体に遠心力を与えて旋回させ、撹拌羽根３２の突起３６に沿って乾燥室１８壁面に衝突させ効率よく伝熱させる。
【００４０】
被乾燥物が乾燥を始めると、次第に粘土状の塊になる。撹拌羽根３２を高速回転させて、被乾燥物をできるだけ粉々に粉砕する。乾燥して粉砕された被乾燥物は、軽くなって上に巻き上げられる。遠心力で乾燥室１８の内周面にぶつかって同面に付着するが、撹拌羽根３２の掻き落し縁部３０がそれを直ちに掻き落とす。これを繰り返して全体が乾燥する。
【００４１】
乾燥が進行すると、乾燥室１８内で、熱風が撹拌羽根により乾燥室側壁に沿って上昇した後、乾燥室中心部で下降し、また撹拌羽根により上昇するという流れを繰り返す対流が発生するが、被乾燥物が回転軸２２の上方に取り付けられた送風羽根４０と撹拌羽根３２の凹凸効果により、さらに乾燥効率がよくなる。
【００４２】
また、被乾燥物が乾燥室１８の内周面に付着する場合は、撹拌羽根３２の掻き落し縁部３０で内周面を掻き取り、ケーキ状塊は撹拌羽根３２の突起３６で粉砕される。回転軸２２の最下部に設けた掻き板羽根４２は、底部熱面にて熱交換した底面全域の被乾燥物を掻き取り、上方にて旋回移動させる。
【００４３】
十分に乾燥して、軽くなって、上方に巻き上げられた被乾燥物は、乾燥室１８の内周面に衝突して、さらに乾燥される。上昇中も落下中も撹拌羽根３２により繰り返し粉砕される。乾燥室１８の底面に落下したものは、再度加熱され、掻き板羽根４２により再び巻き上げられる。その後、細粉化し乾燥したものが排出口１６から排出される。排出の動力は風力でもよい。しかし、回転軸２２を回転させて、攪拌羽根３２を回転させると、粉末化された被乾燥物は乾燥室の壁面への衝突を繰り返しながら、乾燥室の内部で攪拌される。従って、乾燥室の壁面のどの位置へ排出口を設けても、特別の排出機構無しに、大部分の被乾燥物が自動的に排出される。この方法を採用できることが本発明の装置の大きな利点でもある。
【００４４】
このように本発明の乾燥装置は、乾燥状態に応じて撹拌羽根の回転数を変化させ、乾燥の初期、中期に高速で撹拌し、乾燥性能を高め、乾燥の終期に低速で粉塵流出を最小限にとどめると共に、動力の節約を図りうるものである。上記の実施例では、円錐台形状の乾燥室を使用したが、円筒状のものでもさしつかえない。
【００４５】
なお、上記回転軸に、間隔を置いて設けられた複数の腕は、回転軸の回転により回転軸の周囲を公転する。従って、各撹拌羽根は、乾燥室の内周面を回転軸に垂直な面で分割した所定の範囲ずつ分担をして、互いに協働して、乾燥室の内周面に付着した被乾燥物を掻き落す。水分を多く含んだ被乾燥物は乾燥室の内周面に付着し易い。しかし、重量があるのであまり高い位置まで巻き上げられることは無い。従って、例えば、乾燥室の下方の３分の２程度の高さの熱面を対象として、被乾燥物の掻き落しをすればよい。相互に隣接する撹拌羽根の上記掻き落し縁部の長さと位置とを調整すると、該当する熱面に付着したほぼ全ての被乾燥物を掻き落とすことができる。また、掻き落とした被乾燥物は、乾燥室の底面で加熱される。掻き板羽根は、この底面に付着した被乾燥物を掻き取る。
【００４６】
さらに、一端に撹拌羽根を固定した腕の断面を角棒状にしておくことにより、その角部が刃物のように、塊状になった被乾燥物を破砕する。実験によれば、丸棒状にした場合との差は顕著であった。また、回転をするときに先端側になる部分をツルハシのように尖らせたり、刃物の先のような突起を腕や撹拌羽根の各所に設けておくと、同様に被乾燥物を切り刻むように破砕する。例えば、既に説明したように、掻き板羽根に取り付けた突起は、底面に付着した被乾燥物を切り刻みながら掻き取る。この突起を付けない場合との差も、顕著であった。
【００４７】
いずれの場合も、被乾燥物を速やかに細かく切り刻むので、回転軸に加わる負荷が十分軽くなる。従って、より小さいエネルギで回転軸を高速回転させ、効率よく処理をすることが可能になる。このようにすることで、ちょうど、鉄鍋の中で被乾燥物を攪拌しながら加熱して、鍋の底や内面に被乾燥物が焦げ付かないように掻き落としながら処理をすることができる。従来は、低粘度の材料、高粘度の材料、粒状の材料、等、信号乾燥物の組成に応じた構造に別個に設計された処理装置が必要であった。特に粘度の高い材料の乾燥には長時間を要する。しかしながら、本発明の装置は破砕乾燥能力が高く、きわめて多種多様の被乾燥物を効率よく短時間で処理することができ、実験によってもその実用性を実証することができた。また、上記の本発明の方法によれば、複雑な制御無しに被乾燥物の投入から排出まで連続運転をし、そのまま次の被乾燥物を投入するという操作を繰り返す連続運転ができるという、顕著な効果を有するものである。
【図面の簡単な説明】
【００４８】
【図１】実施例１の乾燥装置の構成要素である回転羽根等の組立品の詳細を示す斜視図である。
【図２】同乾燥装置の全体構造を示す概略図である。
【図３】図１の、組立品の一部を省略した平面図である。
【図４】実施例１の乾燥装置の下部に設けられた掻き板羽根を示す図で、（ａ）は平面図、（ｂ）は掻き板羽根の一部を示す破断図である。
【図５】実施例１の乾燥装置における複数の撹拌羽根の各掻き落し縁部の動作説明図である。
【符号の説明】
【００４９】
１４  投入口
１６  排出口
１８  乾燥室
２０  加熱手段
２２  回転軸
２４  回転駆動機構
２６  腕
２８  上面
３０  掻き落し縁部
３２  撹拌羽根
３６  突起
３８  分岐端
４０  送風羽根
４２  掻き板羽根
４４  突起
【図１】
2005337631.tif 000003
【図２】
2005337631.tif 000004
【図３】
2005337631.tif 000005
【図４】
2005337631.tif 000006
【図５】
2005337631.tif 000007